(57)【要約】      （修正有）【課題】保管、運搬、使用等の演奏のための管理を容易に行える小物打楽器即ち音源カートリッジ及びパーカッションを提供する。【解決手段】手に持って振ることにより音を発する音源カートリッジ１０として、一定の大きさ、形状を有し、かつ、中空な構造と音孔を備えたケーシング１１と、上記ケーシング１１の内部に収容して使用され、内部を移動して音を発する発音体によって音源カートリッジ１０を構成し、かつ、上記音源カートリッジ１０を使用して構成されるパーカッション。【選択図】図１
2014021202.tif 000002
【特許請求の範囲】
【請求項１】
手に持って振ることにより音を発する音源カートリッジであって、
一定の大きさ、形状を有し、かつ、中空な構造と音孔を備えたケーシングと、
上記ケーシングの内部に収容して使用され、内部を移動して音を発する発音体と
によって構成された音源カートリッジ。
【請求項２】
請求項１記載の音源カートリッジを使用するパーカッションであって、
音源カートリッジを装着するために、一定の大きさ、形状の装着部を複数個有するホルダーと、
上記装着部に音源カートリッジを着脱交換可能に装着するために、装着部を弾性変形可能に設けた弾性変形手段を具備し、  
音色の異なる発音体から成る音源カートリッジを着脱交換するように構成された
パーカッション。
【請求項３】
ケーシングは、浅い椀状の形態を有しそのほぼ全面に形成された多数の音孔を有する請求項１又は２記載のパーカッション。
【請求項４】
発音体は、ケーシングの内部を移動し内面に当たって衝突音を発する小球の類、ケーシングの内部を移動することによって音を発する鈴、タンバリンの類を含む請求項１又は２記載のパーカッション。
【発明の詳細な説明】
【技術分野】
【０００１】
本発明は、手に持って振ることにより音を発する音源カートリッジと上記音源カートリッジを使用するパーカッションに関するものである。
【背景技術】
【０００２】
音楽の演奏等において、タンバリン、鈴、シェイカー等のいわゆる小物打楽器を使用したい場合、演奏会場までそれらの小物打楽器を携行する必要があることは当然である。しかしながら、これらの小物打楽器はどの楽器を誰が使用するのかが決まっていないというようなことも多く、その保管、運搬、使用等の管理は意外と面倒である。また、上記の小物打楽器も譜面に従い或いはコンダクター等との打ち合わせに従って使用されるが、音源と保持部材（ホルダー部）が一対として固定されているため音色を組み合わせて演奏することは困難である。
【０００３】
上記の実情において、小物打楽器の保管、運搬、使用等の演奏のための管理を容易化することができるならば、小物打楽器はより使用し易く、取扱いもより容易になると考えられる。また、複数の小物打楽器を使用し、音色を組み合わせて演奏することが容易になれば、より有効な演奏効果を期待することもできる。そこで、出願人は上記の期待を実現可能な小物打楽器を提供するために、研究と開発を行ってきた。
【０００４】
そのために先行技術を調査したが、小物打楽器に関する技術的提案は少なく、僅かに、実開平５−５２８９０号のタンバリンや登録実用新案第３０１２９５２号のマラカスの考案等を見出すに止まっている。前者は枠に取り付けた鈴の交換が容易にできるタンバリンを開示しており、後者は発音用の粒材を交換可能にしたマラカスを開示している。しかしながら、夫々タンバリンやマラカスという楽器に対する製造上の改良にとどまっており、それ以外の効果を期待することはできない。
【０００５】
【特許文献１】実開平５−５２８９０号
【特許文献２】登録実用新案第３０１２９５２号
【発明の開示】
【発明が解決しようとする課題】
【０００６】
本発明は前記の実情に鑑みてなされたもので、その課題は、保管、運搬、使用等の演奏のための管理を容易に行える小物打楽器即ち音源カートリッジ及びパーカッションを提供することである。また、本発明の他の課題は、一人の演奏者が同時に複数の小物打楽器を使用し、音色を組み合わせて演奏を行えるようにすることである。
【課題を解決するための手段】
【０００７】
前記の課題を解決するため、本発明は、手に持って振ることにより音を発する音源カートリッジとして、一定の大きさ、形状を有し、かつ、中空な構造と音孔を備えたケーシングと、上記ケーシングの内部に収容して使用され、内部を移動して音を発する発音体とによって、カートリッジとして構成するという手段を講じたものである。カートリッジという文言には嵌め込み式の交換部品という意味があるが、本発明における音源カートリッジは、それだけを手に持って演奏に使用することも可能である。
【０００８】
本発明の音源カートリッジは、一定の大きさ、形状を有するケーシングを使用する。ケーシングとして一定の大きさ、形状を有し、その内部に発音体を収容することにより、一定の形態を有する音源カートリッジであるにも拘らず、発音体によって異なる音響効果を発揮する。一方、本発明の音源カートリッジは、ホルダーと組み合わせてパーカッションを構成する交換部品でもあり、一定の大きさ、形状は、ホルダーの装着部に着脱交換可能に装着し、パーカッションを構成するための重要な要素となる。
【０００９】
上記ケーシングは、発音体を収容可能な中空構造であること、かつまた、音孔を備えていることが必要である。この音孔はケーシングの内部で発生した音を外部に伝えるものであれば、任意の形状、構造を選択できる。音孔の望ましい構造の一つとして、多数の音孔をケーシングのほぼ全面に形成することが行なわれる。
【００１０】
本発明の音源カートリッジには、ケーシングの内部を移動可能な発音体を使用する。発音体の移動は、従来のマラカス類の内部に入れた粒状物の流動を含む。この場合の発音体には、ケーシングの内部を移動し内面に当たって衝突音を発する金属の小球の類がある。また、ケーシングを振ることにより音を発するものにはタンバリンの類があり、さらに、転がることで音を発するものには鈴がある。
【００１１】
上記の音源カートリッジを使用する本発明のパーカッションは、音源カートリッジを装着するために、一定の大きさ、形状の装着部を複数個有するホルダーと、上記装着部に音源カートリッジを着脱交換可能に装着するために、装着部を弾性変形可能に設けた弾性変形手段を具備していることが望ましい。弾性変形手段は、音色の異なる発音体から成る音源カートリッジを着脱交換し固定するための手段の一つとなる。
【００１２】
上記ホルダーは、装着部を複数個有することが望ましく、複数個の装着部の夫々に、音色の異なる発音体から成る音源カートリッジを装着することによって、複数の小物打楽器の音色を組み合わせることが可能になる。ホルダーは、弾性変形手段によって装着部にケーシングを着脱交換可能に装着する。着脱交換のための弾性変形手段の具体的態様は、板バネ状の二部材により音源カートリッジを挟み持つ構造、弾力のある材料から成る部材の装着部に音源カートリッジを嵌め込む構造、ホックなどの機械的手段や磁力による保持等任意の構造を選択することができる。
【発明の効果】
【００１３】
本発明は以上のように構成され、一定の大きさ、形状のケーシングの内部に任意の発音体を収容した音源カートリッジであるので保管、運搬、使用等の演奏のための管理の容易な小物打楽器即ち音源カートリッジを提供することができるという効果を奏する。また、本発明によれば、複数個の装着部に、音色の異なる発音体から成る音源カートリッジを装着してパーカッションを構成できるので、一人の演奏者が同時に複数の小物打楽器を使用して、音色を組み合わせた演奏が容易に可能になり、しかも、音源カートリッジの着脱はワンタッチで可能であるから使用方法も簡単であるという効果がある。
【発明を実施するための最良の形態】
【００１４】
以下図示の実施形態を参照して本発明をより詳細に説明する。図１は本発明に係る音源カートリッジ１０を示す一例であり、一定の大きさ、形状を有し、かつ、中空な構造と音孔を備えたケーシング１１と、上記ケーシングの内部に収容して使用され、内部を移動して音を発する発音体１２とによって構成されている。一例として図示したケーシング１１は浅い椀状の形態を有し、そのほぼ全面に形成された多数の音孔１３を有する２個の椀状部材１１ａ、１１ｂを使用し、これらを組み合わせてリング部材１４の内側に嵌め込み、中空な構造に形成したものである（図３参照）。
【００１５】
上記ケーシング１１は、例えば、鋼、ステンレス、アルミニウム合金等の金属板材や、ＡＢＳ、ＰＥＴ等のプラスチックを素材に使用して、加工により浅い椀状の形態と、多数の音孔１３を有するものとして形成される。音孔１３の大きさは、例えば、収容する発音体１２・・・の大きさ、形態等によって任意に決めるものとし、また、ケーシング１１の外表面には着色を施すこともできる。なお、前記リング部材１４は木材ないしは樹脂を材料として形成され、手に持って振ることにより音を発する目的に適合した大きさ、形状を有する。
【００１６】
発音体１２・・・としては、例えば、鋼等の金属の小球の類１２−１、鈴１２−２、タンバリンの小円板１２−３等を用いて構成することができる（図２）。よって、一定の大きさ、形状に形成された２個の椀状部材１１ａ、１１ｂを使用し、これらを組み合わせる際に上記何れかの発音体１２・・・を内部に入れ、リング部材１４の内側に嵌め込むとともに、２個の椀状部材１１ａ、１１ｂとリング部材１４を接着することによって、音源カートリッジ１０を製造することができる。
【００１７】
図４以下に、本発明の音源カートリッジ１０を使用するパーカッションを実施形態によって説明する。図４、図５は実施形態の例１のパーカッション２０を示しており、このものは板材１６を二枚使用し、夫々に一定の大きさ、形状の装着部１７を打ち抜いて３箇所形成するとともに、扁平な三角形状に配置した構造のホルダー１５を有している。ホルダー１５には、上記扁平な三角形の底辺に当たる位置に開口部１８を形成し、開口部１８の外方にて上記二枚の板材１６、１６を、スペーサー１９を用いて張り合わせ、一体化している。上記一体化した部分は、パーカッション２０のグリップ２１になる。
【００１８】
上記例１のパーカッション２０のホルダー１５は、二枚の板材１６、１６が一側のスペーサー１９により一体化しており、装着部１７を３個形成した部分の板材１６、１６は弾性変形可能であるので、音源カートリッジ１０を装着するための弾性変形手段を構成している。二枚の板材１６、１６は、例えば、合板又はＰＥＴ、ＰＰ等のプラスチックによって形成される。そして、これら二枚の板材１６、１６は、音源カートリッジ１０のケーシング１１を装着部１７に露出させた状態で、リング部材１４を挟み込むものである。故に、合板の弾性に抗して指で開き、また、指を離せば弾性によって閉じるようにして、音源カートリッジ
１０はホルダー１５に弾性的に保持される。
【００１９】
例１のパーカッション２０に用いる音源カートリッジ１０は、図１に示した発音体１２・・・を用いて形成されている。従って、各音源カートリッジ１０に用いる発音体１２・・・には、鋼等の金属の小球の類１２−１、鈴１２−２、タンバリンの小円板１２−３等を用いたものを任意に組み合わせることができ、その着脱交換は弾性変形手段により容易に行なえる。交換に際して音源カートリッジ１０を区別するために、着色や記号、文字等を印刷することができる。
【００２０】
図６ないし図８は実施形態の例２のパーカッション３０を示しており、これはスポンジより成る板材２２を使用し、その板面に形成する一定の大きさ、形状の装着部２３を３箇所、扁平な三角形状に配置した構造のホルダー２５を有している。また、上記扁平な三角形の底辺に当たる位置に開口部２４を形成しており、その外方の部分はグリップ２６になっている。即ち、例２のパーカッション３０の装着部２３の配置を含むホルダー２５の平面形状は、例１のパーカッション２０の夫々とほぼ同じである。
【００２１】
上記例２のパーカッション３０のホルダー２５はスポンジより成り、弾力性を有しているので、装着部２３を押し広げることによって弾性変形可能であり、従って、スポンジという材質自体が音源カートリッジ１０を装着するための弾性変形手段を構成している。この弾力性を利用して音源カートリッジ１０を着脱交換可能に装着するために、装着部２３の内周面に凹溝２７を形成し、そこに音源カートリッジ１０のリング部材１４が収まるように設けられている。故に、スポンジの弾力性に抗して装着部２３を押し広げ、凹溝２７に嵌め合わせれば弾力性によって閉じるので、音源カートリッジ１０はホルダー２５に弾性的に保持される。
【００２２】
例２のパーカッション３０についても、図１に示した発音体１２・・・を用いて形成された音源カートリッジ１０をそのまま適用できることは明らかである。このような例２のパーカッション３０の場合、各音源カートリッジ１０はスポンジの弾力性により全周が外方から内方へ締め付けるような圧力を受けるとともに、凹溝２７の外側の凸部２８、２９にて抜け止めがなされる。故に、例２における音源カートリッジ１０の着脱交換は、スポンジの弾力性を利用した弾性変形手段により容易に行なえる。
【００２３】
図９、図１０は実施形態の例３のパーカッション４０を示しており、この場合、円形の一部を欠いた欠円形リング部３１、３２を向かい合わせにして連結し、上記欠円形リング部３１、３２の内周面に夫々凹溝３６を形成することにより、一定の大きさ、形状の装着部３３、３４を２箇所形成している。例３のホルダー３５は欠円形リング部３１、３２を向かい合わせにして連結した構造を有しており、連結部分は直線状グリップ３７として使用される。
【００２４】
上記例３のパーカッション４０は、例えば、プラスチックの成形体を曲げ加工して形成される（また、金属製の型材を曲げ加工しても形成できるであろう）。何れの場合でも、装着部３３、３４（の凹溝３６）の曲率半径を音源カートリッジ１０のリング部材の半径よりもやや小さめに形成し、欠円形リング部３１、３２をバネとして用いて弾性変形可能な装着部を構成するものであり、凹溝３６の両側の突縁３８、３９は横方向への抜け止めとなる。
【００２５】
故に、例３のパーカッション４０によれば、音源カートリッジ１０を中間の直線状グリップ３７から図９において左右へ滑らせ、装着部３３、３４を弾性変形させながら嵌め込むことにより着脱交換を容易に行なうことができる。例３のパーカッション４０は、本発明のパーカッションとして最も簡便かつ軽量に実施することができる例である。
【００２６】
図１１、図１２は実施形態の例４のパーカッション５０を示しており、型成形された一対の部材４１、４２をヒンジ部４３にて開閉可能に結合し、夫々に一定の大きさ、形状の装着部４４、４６を３箇所形成するとともに、扁平な三角形状に配置した構造のホルダー４５を有している。ホルダー４５の平面形状は例１と同様であるが、その内部は音源カートリッジ１０が収まる中空構造とされている。また、扁平な三角形の底辺に当たる位置に開口部４７、４８を形成し、開口部４７、４８の外方に上記ヒンジ部４３を設けている。上記ヒンジ部４３でつながっている部分は、パーカッション５０のグリップ４９になる。
【００２７】
上記一対の部材４１、４２を閉じて、音源カートリッジ１０を挟み込む構造のために、実施形態の例４では、係合部５１を、上記ヒンジ部４３とは反対側の開閉端部に設けている。図示の係合部はフック５１ａとその掛け止め部５１ｂとから成り、中央の装着部の左右に各１箇所ずつ設けられている。ホルダー４５に音源カートリッジ１０を挟み込んで係合部５１をロックすると、フック５１ａはプラスチックから成るホルダー４５の弾力に抗して掛け止め部５１ｂに係合する。
【００２８】
よって、例３のパーカッション５０は、一対の部材４１、４２を開いておいて、３箇所の装着部４４、４６に音源カートリッジ１０を夫々配置し、一対の部材４１、４２を閉じるとともに、係合部５１を操作してロックすることで組み立てることができる。また、音源カートリッジ１０は、フック５１ａを外すことで容易に着脱交換することができる。
【００２９】
図１３は実施形態の例５のパーカッション６０を示しており、一定の形状に形成された一対の部材６１、６２をホック６３Ａ、６３Ｂにて着脱可能に結合し、夫々に一定の大きさ、形状の装着部６４、６５を３箇所形成するとともに、扁平な三角形状に配置した構造のホルダー６６を有している。ホルダー６６の平面形状は例１と類似の形状で、一対の部材６１、６２の間は音源カートリッジ１０が収まる空間とされている。また、扁平な三角形の底辺に当たる位置に開口部６７、６８を形成し、開口部６７、６８の片側の部分は、パーカッション６０のグリップ６９になる。よって、ホック６３Ａ、６３Ｂの着脱により音源カートリッジ１０の着脱交換を、非常に容易を行うことができる。
【００３０】
図１４は実施形態の例６のパーカッション７０を示しており、一定の形状に形成された一対の部材７１、７２を磁気吸着部７３Ａ、７３Ｂにて着脱可能に結合し、夫々に一定の大きさ、形状の装着部７４、７５を３箇所形成するとともに、扁平な三角形状に配置した構造のホルダー７６を有している。ホルダー７６の平面形状は例１と類似の形状で、一対の部材７１、７２の間は音源カートリッジ１０が収まる空間とされている。また、扁平な三角形の底辺に当たる位置に開口部７７、７８を形成し、開口部７７、７８の外方の部分は、パーカッション７０のグリップ７９になる。
【００３１】
例６の実施形態の場合、一対の部材７１、７２を磁気吸着部７３Ａ、７３Ｂにて着脱可能に結合しているので、分解と再結合は非常に容易であり、音源カートリッジ１０の着脱交換を、非常に容易を行うことができる。しかしながら、音源カートリッジ１０を、磁気による吸着の可能性がある物質を用いて形成した場合には、不具合を来たす恐れもある。よって、磁性体である鋼球を発音体１２−１として使用することなどは避けるべきであろう。
【００３２】
このように、本発明のパーカッション２０、３０、４０、５０、６０、７０は、音源カートリッジ１０を複数個使用するものであり、音源カートリッジ１０の夫々には様々な音色の発音体を収容し得るものであるから、小物打楽器がシステム化され、保管、運搬、使用等の演奏のための管理の合理化が可能になる。
【図面の簡単な説明】
【００３３】
【図１】本発明に係る音源カートリッジの一例を示す外観の斜視図である。
【図２】音源カートリッジに使用する発音体の例を示す斜視図である。
【図３】図１の内部構造を拡大して示す断面図である。
【図４】同上の音源カートリッジを使用する本発明のパーカッションの例１を示す斜視図である。
【図５】図４のＶ−Ｖ線断面図である。
【図６】同じく本発明のパーカッションの例２を示す斜視図である。
【図７】同じく例２の音源カートリッジとホルダーを分解して示す断面図である。
【図８】同じく組み合わせた状態を示す断面図である。
【図９】同じく本発明のパーカッションの例３を分解して示す正面図である。
【図１０】図９のＸ−Ｘ線断面図である。
【図１１】同じく本発明のパーカッションの例４を分解して示す斜視図である。
【図１２】同じく組み合わせた状態を示す斜視図である。
【図１３】同じく本発明のパーカッションの例５を分解して示す斜視図である。
【図１４】同じく本発明のパーカッションの例６を示す斜視図である。
【符号の説明】
【００３４】
１０  音源カートリッジ
１１  ケーシング
１２、１２−１、１２−２、１２−３  発音体
１３  音孔
１４  リング部材
１５、２５、３５、４５、６６、７６  ホルダー
１６、２２  板材
１７、２３、３３、４４、４６、６４、６５、７４、７５  装着部
１８、２４、４７、４８、６７、６８、７７、７８  開口部
１９  スペーサー
２０、３０、４０、５０、６０、７０  パーカッション
２１、２６、３７、４９、６９、７９  グリップ
２７、３６  凹溝
２８、２９  凸部
３１、３２  欠円形リング部
３８、３９  突縁
４１、４２、６１、６２、７１、７２  一対の部材
４３  ヒンジ部
５１  係合部
６３Ａ、６３Ｂ  ホック
７３Ａ、７３Ｂ  磁気吸着部
【図１】
2014021202.tif 000003
【図２】
2014021202.tif 000004
【図３】
2014021202.tif 000005
【図４】
2014021202.tif 000006
【図５】
2014021202.tif 000007
【図６】
2014021202.tif 000008
【図７】
2014021202.tif 000009
【図８】
2014021202.tif 000010
【図９】
2014021202.tif 000011
【図１０】
2014021202.tif 000012
【図１１】
2014021202.tif 000013
【図１２】
2014021202.tif 000014
【図１３】
2014021202.tif 000015
【図１４】
2014021202.tif 000016